(57)【要約】【課題】キャリアアグリゲーションの周波数バンドの組合せの設定と各バンドの周波数情報の設定など容易にして、キャリアアグリゲーションの試験などを容易に行なうことができる移動端末試験装置を提供すること。【解決手段】移動体通信端末２からUE EUTRA Capabilityを取得し、UE EUTRA Capabilityに含まれる前記移動体通信端末の性能情報に基づいて、移動体通信端末の性能に適合した試験を行う試験設定値の組合せのリストを生成する制御部１４と、試験設定値の組合せのリストを受け、リストの試験設定値の組合せを順次実行するシナリオを生成するシナリオ生成部１５とを備える。【選択図】図１
2019036920.tif 000002
【特許請求の範囲】
【請求項１】
移動体通信の基地局を擬似して移動体通信端末（２）を試験する移動端末試験装置（１）であって、
前記移動体通信端末との通信によりUE EUTRA Capabilityを取得し、当該UE EUTRA Capabilityに含まれる前記移動体通信端末の性能情報に基づいて、前記移動体通信端末の性能に適合した試験を行う試験設定値の組合せのリストを生成する制御部（１４）と、
前記試験設定値の組合せのリストを受け、当該リストの試験設定値の組合せを順次実行するシナリオを生成するシナリオ生成部（１５）と
を備える移動端末試験装置。
【請求項２】
前記制御部は、前記移動体通信端末の性能情報であるsupportedBandCombinationに基づいて、前記試験設定値の組合せのリストとして、キャリアアグリゲーションの試験設定値の組合せのリストを生成する請求項１に記載の移動端末試験装置。
【請求項３】
前記制御部は、前記移動体通信端末の性能情報であるsupportedBandListEUTRAに基づいて、前記試験設定値の組合せのリストとして、異周波数間ハンドオーバの試験設定値の組合せのリストを生成する請求項１に記載の移動端末試験装置。
【請求項４】
前記制御部は、前記移動体通信端末の性能情報であるfeatureGroupIndicatorsに基づいて、前記試験設定値の組合せのリストとして、サポート機能の試験設定値の組合せのリストを生成する請求項１に記載の移動端末試験装置。
【請求項５】
前記制御部は、前記移動体通信端末の性能情報であるsupportedBandListEUTRAとinterRAT-Parametersとに基づいて、前記試験設定値の組合せのリストとして、異システム間ハンドオーバの試験設定値の組合せのリストを生成する請求項１に記載の移動端末試験装置。
【請求項６】
移動体通信の基地局を擬似して移動体通信端末（２）を試験する移動端末試験方法であって、
前記移動体通信端末との通信によりUE EUTRA Capabilityを取得するステップと、
前記UE EUTRA Capabilityに含まれる前記移動体通信端末の性能情報に基づいて、前記移動体通信端末の性能に適合した試験を行う試験設定値の組合せのリストを生成するステップと、
前記試験設定値の組合せのリストを受け、当該リストの試験設定値の組合せを順次実行するステップと
を備える移動端末試験方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術などが導入されている。例えば、このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００５】
特許文献１には、ＰＣＣとＳＣＣのパラメータの入れ替えを容易にして、試験の簡易性を向上させ、試験時間を短縮させることが開示されている。
【先行技術文献】
【特許文献】
【０００６】
【特許文献１】特開２０１６−１１１５１０号公報
【発明の概要】
【発明が解決しようとする課題】
【０００７】
キャリアアグリゲーションでは、キャリアアグリゲーションを行なう周波数バンドの組合せが規定されている。また、キャリアアグリゲーションを行なう移動体通信端末では、対応可能な周波数バンドの組合せが決められて設定されている。
【０００８】
キャリアアグリゲーションの試験を行なう場合、移動体通信端末が対応している周波数バンドの組合せで試験装置の設定をしなければならないが、通信サービスを提供する通信事業者によってもこの周波数バンドの組合せが異なり、移動体通信端末の仕様だけでなく通信事業者の仕様についても把握していないと、どの組合せに対応しているのかが分からず、試験装置の設定ができない。
【０００９】
特に対応している周波数バンドの組合せの全てについて試験を行う場合には、試験装置の設定は設定に時間が必要となるだけでなく、間違いが起こりやすい。
【００１０】
また、複数の通信事業者に対応した移動体通信端末を試験する場合、対応する全ての通信事業者それぞれに対して、キャリアアグリゲーションを行なう複数のＣＣの設定を行なわなければならず、さらに設定に時間が必要になると共に難易度も増す。
【００１１】
さらに、キャリアアグリゲーションの他にも、異周波数間ハンドオーバ、異システム間ハンドオーバ、ＶｏＬＴＥ（Voice over LTE）などの様々な機能についても試験を行う必要があるが、これらの機能についても移動体通信端末や通信事業者によって対応している機能が異なるため試験装置の設定も異なる。したがって、これらの試験に対応する試験装置の設定も容易ではない。
【００１２】
そこで、本発明は、キャリアアグリゲーションの周波数バンドの組合せの設定と各バンドの周波数情報などの試験設定値の設定を容易にして、キャリアアグリゲーションの試験などを容易に行なうことができる移動端末試験装置を提供することを目的としている。
【課題を解決するための手段】
【００１３】
本発明の移動端末試験装置は、移動体通信の基地局を擬似して移動体通信端末を試験する移動端末試験装置であって、前記移動体通信端末との通信によりUE EUTRA Capabilityを取得し、当該UE EUTRA Capabilityに含まれる前記移動体通信端末の性能情報に基づいて、前記移動体通信端末の性能に適合した試験を行う試験設定値の組合せのリストを生成する制御部と、前記試験設定値の組合せのリストを受け、当該リストの試験設定値の組合せを順次実行するシナリオを生成するシナリオ生成部とを備えるものである。
【００１４】
また、本発明の移動端末試験装置において、前記制御部は、前記移動体通信端末の性能情報であるsupportedBandCombinationに基づいて、前記試験設定値の組合せのリストとして、キャリアアグリゲーションの試験設定値の組合せのリストを生成するものである。
【００１５】
また、本発明の移動端末試験装置において、前記制御部は、前記移動体通信端末の性能情報であるsupportedBandListEUTRAに基づいて、前記試験設定値の組合せのリストとして、異周波数間ハンドオーバの試験設定値の組合せのリストを生成するものである。
【００１６】
また、本発明の移動端末試験装置において、前記制御部は、前記移動体通信端末の性能情報であるfeatureGroupIndicatorsに基づいて、前記試験設定値の組合せのリストとして、サポート機能の試験設定値の組合せのリストを生成するものである。
【００１７】
また、本発明の移動端末試験装置において、前記制御部は、前記移動体通信端末の性能情報であるsupportedBandListEUTRAとinterRAT-Parametersとに基づいて、前記試験設定値の組合せのリストとして、異システム間ハンドオーバの試験設定値の組合せのリストを生成するものである。
【００１８】
本発明の移動端末試験方法は、移動体通信の基地局を擬似して移動体通信端末を試験する移動端末試験方法であって、前記移動体通信端末との通信によりUE EUTRA Capabilityを取得するステップと、前記UE EUTRA Capabilityに含まれる前記移動体通信端末の性能情報に基づいて、前記移動体通信端末の性能に適合した試験を行う試験設定値の組合せのリストを生成するステップと、前記試験設定値の組合せのリストを受け、当該リストの試験設定値の組合せを順次実行するステップとを備えるものである。
【発明の効果】
【００１９】
本発明は、キャリアアグリゲーションなどの試験を容易に行なうことができる移動端末試験装置を提供することができる。
【図面の簡単な説明】
【００２０】
【図１】図１は、本発明の一実施形態に係る移動端末試験装置のブロック図である。
【図２】図２は、本発明の一実施形態に係る移動端末試験装置のキャリアアグリゲーションの試験設定値の組合せのリストの例である。
【図３】図３は、本発明の一実施形態に係る移動端末試験装置の異周波数帯間ハンドオーバの試験設定値の組合せのリストの例である。
【図４】図４は、本発明の一実施形態に係る移動端末試験装置のサポート機能の試験設定値の組合せのリストの例である。
【図５】図５は、本発明の一実施形態に係る移動端末試験装置の異システム間ハンドオーバの試験設定値の組合せのリストの例である。
【図６】図６は、本発明の一実施形態に係る移動端末試験装置のキャリアアグリゲーションの試験の手順を説明するフローチャートである。
【発明を実施するための形態】
【００２１】
以下、図面を参照して、本発明の実施形態に係る移動端末試験装置について詳細に説明する。
【００２２】
図１において、本発明の一実施形態に係る移動端末試験装置１は、擬似基地局として同軸ケーブル等を介して有線で移動体通信端末２と無線信号を送受信するようになっている。
【００２３】
移動端末試験装置１は、操作部１１と、表示部１２と、表示制御部１３と、制御部１４と、シナリオ生成部１５と、記憶部１６と、シナリオ処理部１７と、擬似基地局部１８−１と、擬似基地局部１８−２と、擬似基地局部１８−３と、結合器１９とを含んで構成されている。
【００２４】
操作部１１は、キーボード、マウス、タッチパネル等の入力機器で構成され、操作入力されたシナリオの生成に必要な情報などを表示制御部１３に出力する。表示部１２は、液晶ディスプレイ等の画像表示機器で構成され、シナリオの生成に必要な情報を入力させる画像や試験中の状態を示す画像などを表示する。
【００２５】
表示制御部１３は、表示部１２に表示させる画像を生成して表示させるものであり、制御部１４の指示により画像の生成と表示の制御を行なうようになっている。また、表示制御部１３は、操作部１１に入力された情報に基づいて表示部１２の表示を変更させたり、操作部１１に入力された情報を制御部１４に送信したりする。
【００２６】
制御部１４は、操作部１１に入力された指示に従って、シナリオの作成画面を表示制御部１３により表示部１２に表示させてシナリオの生成に必要な情報を入力させたり、シナリオの作成画面で操作部１１に入力された情報をシナリオ生成部１５に送信してシナリオを生成させたりする。また、制御部１４は、操作部１１に入力された指示に従って、シナリオ処理部１７に指示を送信して記憶部１６に記憶されたシナリオに基づいて試験を実行させたり、シナリオ処理部１７から送信される擬似基地局部１８−１、１８−２、１８−３の状態や移動体通信端末２との通信の状態などの情報に基づいて表示制御部１３により表示部１２に試験中の状態などを表示させたりする。
【００２７】
シナリオ生成部１５は、制御部１４から送信されたシナリオ生成のための情報に基づいて、移動体通信端末２を試験するためのシナリオを生成する。このシナリオには、擬似基地局部１８−１、１８−２、１８−３の動作の設定や、移動体通信端末２との通信シーケンスが設定される。シナリオ生成部１５は、シナリオ生成のための情報に基づいて擬似基地局部１８−１、１８−２、１８−３から送信する送信情報を生成する送信情報生成部１５０を備えている。
【００２８】
送信情報生成部１５０は、シナリオ生成のための情報に基づいて擬似基地局部１８−１、１８−２、１８−３の報知情報や位置登録処理における送信情報などを生成する。送信情報生成部１５０は、例えば、個別に設定された擬似基地局部１８−１、１８−２、１８−３の擬似する基地局の動作の設定の情報に基づいて、報知情報を生成する。
【００２９】
記憶部１６は、ハードディスク装置やフラッシュメモリで構成され、シナリオ生成部１５で生成された各種のシナリオを記憶する。
【００３０】
シナリオ処理部１７は、制御部１４からの指示により、記憶部１６に記憶されているシナリオを読み出して、そのシナリオに基づいて擬似基地局部１８−１、１８−２、１８−３に、報知情報を送信させたり、移動体通信端末２との間で通信シーケンスを実行させたりする。
【００３１】
擬似基地局部１８−１、擬似基地局部１８−２、擬似基地局部１８−３は、シナリオ処理部１７の指示により、移動体通信端末２との間で無線信号を送受信する。
【００３２】
結合器１９は、擬似基地局部１８−１、１８−２、１８−３の送信する無線信号を結合して移動体通信端末２に送信する。また、結合器１９は、移動体通信端末２から受信した信号を擬似基地局部１８−１、１８−２、１８−３それぞれに送信する。
【００３３】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３４】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３５】
このように、本実施形態において、記憶部１６は、ＲＡＭ又はハードディスク装置によって構成され、表示制御部１３、制御部１４、シナリオ生成部１５及びシナリオ処理部１７は、ＣＰＵによって構成され、擬似基地局部１８−１、１８−２、１８−３は、通信モジュールによって構成される。
【００３６】
このような構成の移動端末試験装置１において、移動体通信端末２の試験を行なう場合、まず、ユーザにより試験に使用するシナリオの作成が行なわれる。制御部１４は、ユーザによる操作部１１の操作によりシナリオの作成の機能が選択されると、例えば、表示部１２にシナリオ作成画面を表示させて、擬似基地局部１８−１、１８−２、１８−３で擬似する基地局の情報や実行させたいシーケンスなどを設定させる。
【００３７】
ユーザは、目的の試験に合わせて各種情報を基地局ごとに設定する。制御部１４は、設定された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００３８】
本実施形態の移動端末試験装置１では、移動体通信端末２から取得できるUE EUTRA Capabilityから移動体通信端末２の性能に関する情報（性能情報）を取得し、取得した性能情報に基づいて移動体通信端末２の性能に適合した試験の設定を行うので、UE EUTRA capabilityから取得できる移動通信端末２の性能情報について説明する。
【００３９】
UE EUTRA Capabilityから取得できる移動体通信端末２の性能情報としては、accessStratumRelease、ue-Category、supportedBandListEUTRA、featureGroupIndicators、interRAT-Parameters、SupportedBandCombinationなどがある。なお、同様の情報がこれらとは異なる名称で定義されている場合もある。
【００４０】
accessStratumReleaseは、移動体通信端末２が準拠している規格のバージョンの情報である。
【００４１】
ue-Categoryは、移動体通信端末２がサポートする最大通信速度の情報であり、この情報と最大通信速度との対応がTS 36.306 4.1, 4.1A, 4.1Bなどに規定されている。
【００４２】
supportedBandListEUTRAは、移動体通信端末２がサポートしているLTE周波数帯の情報であり、この情報とLTE周波数帯との対応がTS 36.101 5.5などに規定されている。
【００４３】
featureGroupIndicatorsは、移動体通信端末２がサポートしている機能の情報であり、この情報と機能の対応がTS 36.331 Annex B, Annex Cなどに規定されている。
【００４４】
interRAT-Parametersは、移動体通信端末２がサポートしている2G/3G周波数帯の情報であり、GSM（登録商標）/GPRS, W-CDMA（登録商標）, TD-SCDMA, CDMA 1X, CDMA EV-DOなどの無線方式で使用される周波数帯の情報が得られる。
【００４５】
supportedBandCombinationは、移動体通信端末２がサポートしているCarrier Aggregationで使用できる周波数帯の組み合わせの情報であり、この情報と周波数帯の対応がTS 36.101 5.5A, 5.6Aなどに規定されている。
【００４６】
次に、キャリアアグリゲーションの試験、異周波数帯間ハンドオーバの試験、サポート機能の試験、異システム間ハンドオーバの試験について、これら試験のシナリオの生成を中心に説明する。
【００４７】
キャリアアグリゲーションの試験を行なう場合、移動体通信端末２が対応している周波数バンドの組合せでシナリオの設定をしなければならない。本実施形態の移動端末試験装置１では、移動体通信端末２から取得できるUE EUTRA Capabilityに含まれているsupportedBandCombinationに基づいて、ＣＣとしてのセルの周波数情報を設定する。
【００４８】
移動体通信端末２から取得できる情報から擬似基地局部１８−１、１８−２、１８−３で擬似するセルの周波数情報を設定させるとき、ユーザは、移動端末試験装置１と移動体通信端末２とを有線で接続し、移動体通信端末２の電源を入れるなどして位置登録を行なわせる。
【００４９】
シナリオ処理部１７は、位置登録のシーケンス中にUE EUTRA Capabilityを移動体通信端末２から受信すると、その内容を制御部１４に送信する。なお、位置登録時の情報に限らず、制御部１４からの要求によりシナリオ処理部１７が、UE EUTRA Capabilityの送信を移動体通信端末２に要求し、受信したUE EUTRA Capabilityを制御部１４に送信するようにしてもよい。
【００５０】
制御部１４は、UE EUTRA Capabilityをシナリオ処理部１７から受信すると、UE EUTRA Capabilityに含まれているsupportedBandCombinationに基づいて、移動体通信端末２が通信可能な周波数バンドの組合せを取得する。
【００５１】
さらに、制御部１４は、ユーザによる操作部１１の操作により予め設定されている、擬似基地局部１８−１、１８−２、１８−３が擬似するセルの周波数バンドのＤＬ（DownLink）チャネル番号とＤＬ（DownLink）帯域幅と、取得した通信可能な周波数バンドの組合せとから図２に示すような、移動体通信端末２の性能に適合したキャリアアグリゲーションの試験を行うシナリオ生成のための試験設定値の組合せのリスト（キャリアアグリゲーションの試験設定値の組合せのリスト）を生成する。
【００５２】
図２において、各行のCell1〜3_Band列の組合せがsupportedBandCombinationに基づいて取得した通信可能な周波数バンドの組合せであり、Cell1〜3_Dlch列、Cell1〜3_DlBw列はユーザによる操作部１１の操作により予め設定された、それぞれの周波数バンドのＤＬチャネル番号とＤＬ帯域幅である。なお、図中の値は例示である。
【００５３】
なお、図２に示すようなキャリアアグリゲーションの試験設定値の組合せのリストを表示部１２に表示させるようにしても良い。
【００５４】
また、制御部１４は、キャリアアグリゲーションの試験設定値の組合せのリストをＣＳＶファイルとして生成するようにしても良い。
【００５５】
また、ユーザによる操作部１１の操作により、特定の通信事業者に対応する使用可能な周波数バンドの組合せを予め設定しておき、supportedBandCombinationに基づいて取得した移動体通信端末２が通信可能な周波数バンドの組合せと一致する組合せのみをキャリアアグリゲーションの試験設定値の組合せのリストに含めるようにしても良い。
【００５６】
続いて、制御部１４は、生成された移動体通信端末２の性能に適合したキャリアアグリゲーションの試験を行うシナリオ生成のための試験設定値の組合せのリスト（キャリアアグリゲーションの試験設定値の組合せのリスト）をシナリオ生成部１５に送信する。
シナリオ生成部１５では、制御部１４から受信したキャリアアグリゲーションの試験設定値の組合せのリストの各行を順次実行する擬似基地局のシナリオを生成する。
【００５７】
次に異周波数帯間ハンドオーバの試験を行う場合について説明する。
【００５８】
異周波数帯間ハンドオーバの試験を行う場合、移動体通信端末２が対応している周波数バンドのハンドオーバでシナリオの設定をしなければならない。本実施形態の移動端末試験装置１では、移動体通信端末２から取得できるUE EUTRA Capabilityに含まれているsupportedBandListEUTRAに基づいて、セルの周波数情報を設定する。
【００５９】
ここで、制御部１４がUE EUTRA Capabilityをシナリオ処理部１７から受信するまでの動作は、前述のキャリアアグリゲーションの試験と同じであるので省略する。
【００６０】
制御部１４は、UE EUTRA Capabilityをシナリオ処理部１７から受信すると、UE EUTRA Capabilityに含まれているsupportedBandListEUTRAに基づいて、移動体通信端末２が通信可能な周波数バンドを取得する。
【００６１】
さらに、制御部１４は、ユーザによる操作部１１の操作により予め設定されている、擬似基地局部１８−１、１８−２、１８−３が擬似するセルの周波数バンドのＤＬチャネル番号とＤＬ帯域幅と、取得した通信可能な周波数バンドとから図３に示すような、移動体通信端末２の性能に適合した異周波数帯間ハンドオーバの試験を行うシナリオ生成のための試験設定値の組合せのリスト（異周波数帯間ハンドオーバの試験設定値の組合せのリスト）を生成する。
【００６２】
図３において、各行のCell1〜2_Band列の組合せがsupportedBandListEUTRAに基づいて取得した通信可能な周波数バンドの組合せであり、Cell1〜2_Dlch列、Cell1〜2_DlBw列はユーザによる操作部１１の操作により予め設定された、それぞれの周波数バンドのＤＬチャネル番号とＤＬ帯域幅である。なお、図中の値は例示である。
【００６３】
なお、図３に示すような異周波数帯間ハンドオーバの試験設定値の組合せのリストを表示部１２に表示させるようにしても良い。
【００６４】
また、制御部１４は、異周波数帯間ハンドオーバの試験設定値の組合せのリストをＣＳＶファイルとして生成するようにしても良い。
【００６５】
また、ユーザによる操作部１１の操作により、特定の通信事業者に対応する使用可能な周波数バンドを予め設定しておき、supportedBandListEUTRAに基づいて取得した移動体通信端末２が通信可能な周波数バンドと一致する周波数バンドのみを異周波数帯間ハンドオーバの試験設定値の組合せのリストに含めるようにしても良い。
【００６６】
続いて、制御部１４は、生成された移動体通信端末２の性能に適合した異周波数帯間ハンドオーバの試験を行うシナリオ生成のための試験設定値の組合せのリスト（異周波数帯間ハンドオーバの試験設定値の組合せのリスト）をシナリオ生成部１５に送信する。
【００６７】
シナリオ生成部１５では、制御部１４から受信した異周波数帯間ハンドオーバの試験設定値の組合せのリストの各行を順次実行する擬似基地局のシナリオを生成する。
【００６８】
次にサポート機能の試験を行う場合について説明する。
【００６９】
サポート機能の試験を行う場合、移動体通信端末２がサポートしている機能のシナリオの設定をしなければならない。本実施形態の移動端末試験装置１では、移動体通信端末２から取得できるUE EUTRA Capabilityに含まれているfeatureGroupIndicatorsに基づいて、サポート機能情報を設定する。
【００７０】
ここで、制御部１４がUE EUTRA Capabilityをシナリオ処理部１７から受信するまでの動作は、前述のキャリアアグリゲーションの試験と同じであるので省略する。
【００７１】
制御部１４は、UE EUTRA Capabilityをシナリオ処理部１７から受信すると、UE EUTRA Capabilityに含まれているfeatureGroupIndicatorsに基づいて、移動体通信端末２のサポート機能情報を取得する。
【００７２】
さらに、制御部１４は、ユーザによる操作部１１の操作により予め設定されている、擬似基地局部１８−１、１８−２、１８−３がサポートする機能と、取得したサポート機能情報とから図４に示すような、移動体通信端末２の性能に適合したサポート機能の試験を行うシナリオ生成のための試験設定値の組合せのリスト（サポート機能の試験設定値の組合せのリスト）を生成する。
【００７３】
図４において、Feature列はfeatureGroupIndicatorsに定義されている機能を列挙している。
【００７４】
Support列のYesは、対象とする機能がfeatureGroupIndicatorsに基づき移動体通信端末２がサポートしている機能であり、かつ、ユーザによる操作部１１の操作により擬似基地局部１８−１、１８−２、１８−３がサポートする機能として設定されていることを示している。
【００７５】
Support列のNoは、対象とする機能が移動体通信端末２がサポートしていない機能、もしくは擬似基地局部１８−１、１８−２、１８−３が対応していない機能として設定されていることを示している。なお、図中の値は例示である。
【００７６】
なお、図４に示すようなサポート機能の試験設定値の組合せのリストを表示部１２に表示させるようにしても良い。
【００７７】
また、制御部１４は、サポート機能の試験設定値の組合せのリストをＣＳＶファイルとして生成するようにしても良い。
【００７８】
続いて、制御部１４は、生成された移動体通信端末２の性能に適合したサポート機能の試験を行うシナリオ生成のための試験設定値の組合せのリスト（サポート機能の試験設定値の組合せのリスト）をシナリオ生成部１５に送信する。
【００７９】
シナリオ生成部１５では、制御部１４から受信したサポート機能の試験設定値の組合せのリストの内、Support列がYesとなっている各行を順次実行する擬似基地局のシナリオを生成する。
【００８０】
次に異システム間ハンドオーバの試験を行う場合について説明する。
【００８１】
異システム間ハンドオーバの試験を行う場合、移動体通信端末２が対応している通信規格（システム）でシナリオの設定をしなければならない。本実施形態の移動端末試験装置１では、移動体通信端末２から取得できるUE EUTRA Capabilityに含まれているsupportedBandListEUTRAとinterRAT-Parametersとに基づいて、システム情報を設定する。
【００８２】
ここで、制御部１４がUE EUTRA Capabilityをシナリオ処理部１７から受信するまでの動作は、前述のキャリアアグリゲーションの試験と同じであるので省略する。
【００８３】
制御部１４は、UE EUTRA Capabilityをシナリオ処理部１７から受信すると、UE EUTRA Capabilityに含まれているsupportedBandListEUTRAとinterRAT-Parametersとに基づいて、移動体通信端末２が通信可能なシステムを取得する。
【００８４】
さらに、制御部１４は、ユーザによる操作部１１の操作により予め設定されている、擬似基地局部１８−１、１８−２、１８−３が擬似するセルの周波数バンドのＤＬチャネル番号とＤＬ帯域幅と、取得した通信可能なシステムとから図５に示すような、移動体通信端末２の性能に適合した異システム間ハンドオーバの試験を行うシナリオ生成のための試験設定値の組合せのリスト（異システム間ハンドオーバの試験設定値の組合せのリスト）を生成する。
【００８５】
図５において、各行のLTE_Band列、Another RAT列、Another RAT Band列の組合せがsupportedBandListEUTRAとinterRAT-Parametersとから取得した通信可能なシステムの組合せであり、LTE_Dlch列、LTE_DlBw列はユーザによる操作部１１の操作により予め設定された、それぞれの周波数バンドのＤＬチャネル番号とＤＬ帯域幅である。なお、図中の値は例示である。
【００８６】
なお、図５に示すような異システム間ハンドオーバの試験設定値の組合せのリストを表示部１２に表示させるようにしても良い。
【００８７】
また、制御部１４は、異システム間ハンドオーバの試験設定値の組合せのリストをＣＳＶファイルとして生成するようにしても良い。
【００８８】
また、ユーザによる操作部１１の操作により、特定の通信事業者に対応する使用可能なシステムを予め設定しておき、supportedBandListEUTRAとinterRAT-Parametersとに基づいて取得した移動体通信端末２が通信可能なシステムと一致するシステムのみを異システム間ハンドオーバの試験設定値の組合せのリストに含めるようにしても良い。
【００８９】
続いて、制御部１４は、生成された移動体通信端末２の性能に適合した異システム間ハンドオーバの試験を行うシナリオ生成のための試験設定値の組合せのリスト（異システム間ハンドオーバの試験設定値の組合せのリスト）をシナリオ生成部１５に送信する。
【００９０】
シナリオ生成部１５では、制御部１４から受信した異システム間ハンドオーバの試験設定値の組合せのリストの各行を順次実行する擬似基地局のシナリオを生成する。
【００９１】
なお、以上の説明ではキャリアアグリゲーションの試験、異周波数帯間ハンドオーバの試験、サポート機能の試験、異システム間ハンドオーバの試験をそれぞれ実行していたが、次に述べる様に複数の試験をまとめて実行するようにしても良い。
【００９２】
制御部１４がUE EUTRA Capabilityをシナリオ処理部１７から受信して、UE EUTRA Capabilityに含まれているsupportedBandCombination、supportedBandListEUTRA、featureGroupIndicators、interRAT-Parametersに基づいて、移動体通信端末２が通信可能な周波数バンドの組合せ、周波数バンド、サポート機能、システムの情報の二つ以上を取得する。
【００９３】
そして、この取得した二つ以上の情報に対応する移動体通信端末２の性能に適合したキャリアアグリゲーションの試験を行うシナリオ生成のための試験設定値の組合せのリスト（キャリアアグリゲーションの試験設定値の組合せのリスト）、サポート機能の試験を行うシナリオ生成のための試験設定値の組合せのリスト（サポート機能の試験設定値の組合せのリスト）、異周波数帯間ハンドオーバの試験を行うシナリオ生成のための試験設定値の組合せのリスト（異周波数帯間ハンドオーバの試験設定値の組合せのリスト）、異システム間ハンドオーバの試験を行うシナリオ生成のための試験設定値の組合せのリスト（異システム間ハンドオーバの試験設定値の組合せのリスト）を生成する。
【００９４】
続いて、制御部１４は、生成された二つ以上の試験設定値の組合せのリストをシナリオ生成部１５に送信する。
【００９５】
シナリオ生成部１５では、制御部１４から受信した二つ以上の試験設定値の組合せのリストの各行を順次実行する擬似基地局のシナリオを生成する。
【００９６】
以上のように構成された本実施形態に係る移動端末試験装置１よるキャリアアグリゲーションの試験について、図６を参照して説明する。なお、以下の説明では、ユーザによる操作部１１の操作により擬似基地局部１８−１、１８−２、１８−３が擬似するセルの周波数バンドのＤＬチャネル番号とＤＬ帯域幅が予め設定されているものとする。
【００９７】
ステップＳ１において、制御部１４は、移動体通信端末２にメッセージを送信するなどして、UE EUTRA Capabilityを移動体通信端末２から取得する。
【００９８】
ステップＳ２において、制御部１４は、取得したUE EUTRA Capabilityに含まれているsupportedBandCombinationに基づいて、移動体通信端末２が通信可能な周波数バンドの組合せを取得する。
【００９９】
ステップＳ３において、制御部１４は、ユーザによる操作部１１の操作により予め設定されている、擬似基地局部１８−１、１８−２、１８−３が擬似するセルの周波数バンドのＤＬチャネル番号とＤＬ帯域幅と、取得した通信可能な周波数バンドの組合せとから図２に示すような、移動体通信端末２の性能に適合したキャリアアグリゲーションの試験を行うシナリオ生成のための試験設定値の組合せのリスト（キャリアアグリゲーションの試験設定値の組合せのリスト）を生成する。
【０１００】
なお、このときに図２に示すキャリアアグリゲーションの試験設定値の組合せのリストを表示部１２に表示させるようにしても良い。
【０１０１】
また、このとき制御部１４は、キャリアアグリゲーションの試験設定値の組合せのリストをＣＳＶファイルとして生成するようにしても良い。
【０１０２】
ステップＳ４において、制御部１４は、キャリアアグリゲーションの試験設定値の組合せのリストをシナリオ生成部１５に送信する。
【０１０３】
ステップＳ５において、シナリオ生成部１５は、受信したキャリアアグリゲーションの試験設定値の組合せのリストの各行を順次実行する擬似基地局のシナリオを生成する。
【０１０４】
ステップＳ６において、生成されたシナリオに基づいてキャリアアグリゲーションの試験を実行する。
【０１０５】
なお、異周波数帯間ハンドオーバの試験、サポート機能の試験、異システム間ハンドオーバの試験をについても同様な手順により試験が行われる。
【０１０６】
また、ステップＳ２において、制御部１４は取得したUE EUTRA Capabilityに含まれているsupportedBandCombination、supportedBandListEUTRA、featureGroupIndicators、interRAT-Parametersに基づいて、移動体通信端末２が通信可能な周波数バンドの組合せ、周波数バンド、サポート機能、システムの情報の二つ以上を取得する。
【０１０７】
そして、ステップＳ３において、制御部１４は、この取得した二つ以上の情報に対応する二つ以上の試験設定値の組合せのリストを生成し、ステップＳ４において、制御部１４は生成された二つ以上の試験設定値の組合せのリストをシナリオ生成部１５に送信し、ステップＳ５において、受信した二つ以上の試験設定値の組合せのリストの各行を順次実行する擬似基地局装置のシナリオを生成するようにしても良い。
【０１０８】
このように、上述の実施形態では、移動体通信端末２からUE EUTRA Capabilityを取得し、UE EUTRA Capabilityから移動体通信端末２の性能情報を取得し、取得した性能情報に基づいて移動体通信端末２の性能に適合した試験の設定を行うのでキャリアアグリゲーションなどの試験を容易に行なうことができる。
【０１０９】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【０１１０】
１  移動端末試験装置
２  移動体通信端末
１１  操作部
１２  表示部
１４  制御部
１５  シナリオ生成部
１７  シナリオ処理部
【図１】
2019036920.tif 000003
【図２】
2019036920.tif 000004
【図３】
2019036920.tif 000005
【図４】
2019036920.tif 000006
【図５】
2019036920.tif 000007
【図６】
2019036920.tif 000008